【事件の表示】
　特願２００２−３１５７８７「ディスク装置のディスク位置決め機構」拒絶査定不服審判事件〔平成１６年　５月２７日出願公開、特開２００４−１５２３８９〕について、次のとおり審決する。
【結　論】
　本件審判の請求は、成り立たない。
【理　由】
第１　手続の経緯  
　
　本件特許出願は、 平成１４年１０月３０日の出願であって、平成１７年８月４日付けの拒絶理由の通知に応答して平成１７年１０月３１日付けで手続補正がなされたが、平成１７年１２月６日付けで拒絶査定され、そして平成１８年２月１３日に拒絶査定不服審判が請求されるとともに平成１８年３月１３日付で手続補正がなされたものである。
　　
第２　平成１８年３月１３日付けの手続補正についての補正却下の決定
　　　　
［補正却下の決定の結論］
　　　　
　平成１８年３月１３日付けの手続補正を却下する。
　　
［理由］
　　
（１）本件補正
　平成１８年３月１３日付の手続補正（以下「本件補正」という。）は、明細書の特許請求の範囲についてするもので、本件補正前（平成１７年１０月３１日付け手続補正書参照。）に
（１ａ）「【請求項１】　開口から挿入されたディスクが装置内部に備えた引き込み装置によって搬入され、ターンテーブルに装着する為に所定の位置に位置決めする位置決め機構において、装置の後方には軸を中心に回動するレバーを有すと共に該レバーにはディスク外周が当る先端を設け、又、レバーに取付けたボスが係合するカム溝を形成したスライダーを移動可能に備え、該スライダーにはモーターによって回転するピニオンが噛み合うラックを設け、又開口側には引き込み装置の第２駆動ローラーと第２ローラーをディスク外周に係合・離脱させる手段を設けたことを特徴とするディスク装置のディスク位置決め機構。
【請求項２】　上記第２駆動ローラーと第２ローラーをディスク外周に係合・離脱させる手段として、上記何れかのローラーを取付けているアームに設けたリブが係合するカムを上記スライダーに形成し、そして第２駆動ローラーと第２ローラーをリンク機構によって互いに連結した請求項１記載のディスク装置のディスク位置決め機構。」
としていたものを、
　
（１ｂ）「【請求項１】
　開口から挿入された
１２０ｍｍの大きさの
該
の他端
はボスを設け、該
該ディスクの外周が該レバー先端を押圧することで回動して該ボスが該カム溝の端部に達して係合するとともに該スライダーを移動させることで
と
、
【請求項２】
　上記第２駆動ローラーと第２ローラーをディスク外周に係合・離脱させる手段として、上記何れかのローラーを取付けているアームに設けたリブが係合するカムを上記スライダーに形成し、
該スライダーの移動によって該リブを設けた該アームが揺動することとし、
と補正しようとするものである。
　
（２）本件補正の目的
　特許請求の範囲の請求項１について、本件補正は、概略、
（２ａ）「ディスク」を「
１２０ｍｍの大きさの
（２ｂ）「レバーに取付けたボス」を「
該
の他端
はボスを設け、該
（２ｃ）「モーターによって回転するピニオンが噛み合うラック」を「
該ディスクの外周が該レバー先端を押圧することで回動して該ボスが該カム溝の端部に達して係合するとともに該スライダーを移動させることで
と
各々補正しようとするものであって、発明を特定するために必要な事項を限定することにより特許請求の範囲の減縮をしようとするものと認められるから、平成１８年改正前特許法第１７条の２第４項第２号及び３号に掲げる事項を目的とするものと認める。
　
（３）独立特許要件
　そこで、上記（１ｂ）に記載した、本件補正後の請求項１に記載された発明（以下「本願補正発明」という。）が、特許出願の際独立して特許を受けることができるものであるか（平成１８年改正前特許法１７条の２第５項において準用する同法１２６条５項の規定に適合するか）について、以下に検討する。
　
（３−１）刊行物
　原審における拒絶の理由に引用した刊行物である特開２００２−３０４７９８号公報（以下「引例１」という。平成１４年１０月１８日公開。）には、ディスク記録及び／又は再生装置に関して図面とともに次の事項が記載されている。（なお下線は当審で付与した。）
（い）「【請求項８】  
ディスク
をその直径方向に挟持可能とされた一対の移送ローラと、上記一対の移送ローラのうち第１の移送ローラを回転駆動する駆動手段と、上記ディスク
の外周縁の一部が支持可能であって上記一対の移送ローラと協働して上記ディスク
を移送可能な支持レバーと、を設け、上記一対の移送ローラのうち第２の移送ローラを固定すると共に、上記駆動手段で上記第１の移送ローラを回転させることにより上記ディスク
に回転力を与えて転動させて移送するに際し、当該ディスク
を上記支持レバーで支持して
ディスク装着部に移送し、
【請求項９】  上記第１の移送ローラを回動自在に支持する第１の支持部材と、上記第２の移送ローラを固定して支持する第２の支持部材と、上記第１の支持部材及び第２の支持部材間に介在されて両支持部材を互いに近づく方向に付勢する弾性部材と、を設け、
上記弾性部材の弾性により上記第１の移送ローラ及び第２の移送ローラで上記ディスク状記録媒体を弾性的に挟持するようにしたことを特徴とする請求項８記載のディスク記録及び／又は再生装置。
【請求項１０】 〜【請求項１３】（略）  
【請求項１４】 
 上記ディスク装着部は、筐体内に設けられると共に
ターンテーブルからなり、
【請求項１５】  上記ディスク装着部に上記ディスク状記録媒体が装着されたときに、上記一対の移送ローラ及び上記支持レバーを上記ディスク状記録媒体から逃がして当該一対の移送ローラ及び支持レバーがディスク状記録媒体と摺動接触するのを防止するようにしたことを特徴とする請求項８記載のディスク記録及び／又は再生装置。」
（ろ）「【０００１】
【発明の属する技術分野】本発明は、光ディスクや光磁気ディスク等の
ディスク
を
ディスク装着部と、このディスク
を挿脱するディスク出入口との間に移送するようにしたディスク
装置
（は）「【００３９】
支持レバー１５は、
先端部に設けられたディスク保持部４７と、
周方向腕部１５ａに固定されたカムピン４８とから構成されている
【００４０】支持レバー１５の周方向腕部１５ａの長手方向の一端には軸受孔４９ａが設けられており、この軸受孔４９ａに嵌合される
支持軸５０によって支持レバー１５が
回動自在に支持されている。
【００４１】ガイド溝５１ａは支持レバー１５の動きを規制するもので、ディスク保持部４７の近傍に設けられた突起４９ｂが挿入される。支持レバー１５の
ディスク保持部４７
光学ディスクＤの外周縁が摺動可能に接触される。
（に）「【００６３】
カムプレート１８のレバー用カム部７８は、
第１のカム部７８ａ
を有している。
（ほ）「【００６８】このような構成を有するカムプレート１８のローラ用カム部７９によって位置制御される一対のローラ組立体２０，２１は、次のような構成を有している。一方の
駆動側ローラ組立体２０は、
第１の移送ローラ
を示す
駆動ローラ
８５ｂ
を備え
（へ）「【００８１】
固定側ローラ組立体２１は、
第２の移送ローラ
を示す
固定ローラ
９５ｂ
を備え
（と）「【００９１】更に、図１５Ａ〜Ｃに示すように、固定側ガイドレバー９４の正面には、上下方向に所定の隙間をあけ且つ左右方向Ｙに若干偏倚させて一対の挟持片９４ｃが設けられている。この一対の挟持片９４ｃは、メインシャーシ１１の正面部１１ｂの内面に設けたガイドレール１１ｍに摺動可能に係合されている。また、固定側ガイドレバー９４にはバネ受け片９４ｄが設けられており、このバネ受け片９４ｄには弾性部材の一具体例を示す引張コイルバネ９８の一端が掛け止められている。この引張コイルバネ９８は、左右方向Ｘに延在されて駆動側ガイドレバー８３に設けたバネ受け片８３ｃに掛け止められている。この
引張コイルバネ９８のバネ力により、駆動側ローラ組立体２０と固定側ローラ組立体２１とは互いに近づく方向に付勢されている
【００９２】この駆動側ローラ組立体２０と固定側ローラ組立体２１との間には、駆動側ガイドレバー８３のラック部８３ａと固定側ガイドレバー９４のラック部９４ａとに同時に噛合される駆動ギア９９が配置されている。駆動ギア９９はメインシャーシ１１の平面部１１ａの下面に回転自在に支持されており、この駆動ギア９９を前後から挟むようにラック部９４ａとラック部８３ａとが共に噛合されている。従って、図１９において、
駆動ギア９９が反時計方向に回転すると、引張コイルバネ９８のバネ力に抗して駆動側ローラ組立体２０及び固定側ローラ組立体２１が互いに離れる方向に移動する。
（ち）「【００９６】
チャック駆動組立体２２の出力ギア１１１は、上述したカムプレート１８のラック部７３に噛合されている。このチャック駆動組立体２２の駆動モータ１０１の回転により、
カムプレート１８がメインシャーシ１１の前後方向Ｘに前進又は後退動作される。
（り）「【０１５４】次に、
直径１２ｃｍの大径ディスクＤ12
（ぬ）「【０１５９】更に、大径ディスクＤ12が押圧されると、そのディスク先端部が、前側の駆動側緩衝体９０ｃと、同じく前側の固定側緩衝体とに接触する。これにより、
大径ディスクＤ12は、前側駆動ローラ８５ａと固定ローラ９５ａとユーザーとの３点によって支持される。
（る）「【０１６７】そして、
大径ディスクＤ12が
ディスク装着部まで移動し、
その検出信号が出力される。
【０１６８】（略）
【０１６９】第１の駆動モータ８４の駆動が停止された後、図４３に示すように、予め設定された第１の遅延時間ＤＴ１が経過したところで、チャック駆動組立体２２の第２の駆動モータ１０１に駆動電流が出力される。これにより、第２の駆動モータ１０１が予め決定された所定の方向（カムプレート１８を後方に移動する方向）に回転駆動される。
その結果、第２の駆動モータ１０１の回転力が、その回転軸に固定されたウォーム１０８から第１のギア機構１０２（ウォームホイール１０９、中間ギア１１０及び出力ギア１１１）を介してカムプレート１８のラック部７３に伝達される。
【０１７０】（略）
【０１７１】これと同時に、
カムプレート１８の後退移動によって支持レバー１５のカムピン４８が、レバー用カム部７８の第１のカム部７８ａ内に入り込む。
駆動側ローラ組立体２０のコロ８９は、その位置でローラ用カム部７９の大径用カム部７９ａ内に入り込む。
（を）「【０１７７】この際、カムピン４８が第１のカム部７８ａの奥に設定された逃し部７８a0に乗り上げることにより、支持レバー１５が反時計方向に若干回動される。そのため、ディスク保持部４７が更に外側に若干移動し、これにより、ディスク保持部４７が大径ディスクＤ12から離反して係合が解除される。同様に、
コロ８９が大径用カム部７９ａの奥に設定された逃し部７９a0に乗り上げるため、内側の駆動ローラ８５ｂ及び固定ローラ９５ｂが更に外側に若干移動する。これにより、両ローラ８５ｂ，９５ｂが大径ディスクＤ12から離反して係合が解除される。
（わ）「支持レバー１５」は（ディスク）
装置の後方に有する
（か）上記【００９６】の記載より、
上記カムプレートには、駆動モータによって回転する出力ギアと噛合するラック部が設けられ
（よ）「駆動ローラ８５ｂ」「固定ローラ９５ｂ」は、「ディスクをその直径方向に挟持可能とされた一対の移送ローラ」である（上記【請求項８】【００６８】【００８１】）から、両ローラは、ディスクを移送する手段を構成する要素である。
　そして、「両ローラ８５ｂ，９５ｂが大径ディスクＤ12から離反して係合が解除される」（上記【０１７７】）のであるから、両ローラをディスクと直径方向に係合・係合解除させる手段が存在することは明らかであって、上記両ローラ８５ｂ，９５ｂを各々備える「駆動側ローラ組立体２０」「固定側ローラ組立体２１」（上記【００６８】【００８１】）間に配置された「引張コイルバネ９８のバネ力により、駆動側ローラ組立体２０と固定側ローラ組立体２１とは互いに近づく方向に付勢され」（上記【００９１】）ることや、「駆動ギア９９が反時計方向に回転すると、引張コイルバネ９８のバネ力に抗して駆動側ローラ組立体２０及び固定側ローラ組立体２１が互いに離れる方向に移動する」（上記【００９２】）こと等を考慮すると、上記「引張コイルバネ９８」や「駆動ギア９９」等は各々、両ローラの係合を解除する上記「コロ８９」「逃し部７９a0」等と同様、両ローラ８５ｂ，９５ｂをディスクと直径方向に係合・係合解除させる手段を構成する要素である。
　そして図１９、図２１、図３２、図３４等を参照すると、当該各要素をディスク出入口側に設けたのは明らかであるから、結局、
ディスクを移送する手段の駆動ローラ
と、固定ローラ
をディスクと直径方向に係合・係合解除させる手段を、ディスク出入口側に設けた
　　　　　　
　上記各摘示事項及び図面の記載を総合勘案すると、引例１には、次の発明が記載されていると認められる。
「ディスクをディスク装着部と、このディスクを挿脱するディスク出入口との間に移送するようにしたディスク装置におけるディスクを移送する手段であって、
　上記ディスクは直径１２ｃｍのディスクであり、
  上記ディスク装着部は、筐体内に設けられると共にターンテーブルからなり、
　ディスクをその直径方向に挟持可能とされた一対の移送ローラと、
上記一対の移送ローラのうち第１の移送ローラを回転駆動する駆動手段と、
上記ディスクの外周縁の一部が支持可能であって上記一対の移送ローラと協働して上記ディスクを移送可能な支持レバーと、を設け、
　上記一対の移送ローラのうち第２の移送ローラを固定すると共に、上記駆動手段で上記第１の移送ローラを回転させることにより上記ディスクに回転力を与えて転動させて移送するに際し、当該ディスクを上記支持レバーで支持してディスク装着部に移送し、 
　上記支持レバーは、装置の後方に有し、支持軸によって回動自在に支持され、先端部に設けられたディスク保持部と周方向腕部に固定されたカムピンを有し、
　上記ディスク保持部は、ディスクの外周縁が摺動可能に接触され、
　カムプレートのレバー用カム部は第１のカム部を有し、
  上記カムピンは、上記カムプレートの後退移動によって上記第１のカム部内に入り込むものであり、
　上記カムプレートには、駆動モータによって回転する出力ギアと噛合するラック部が設けられ、
　ディスクを移送する手段の駆動ローラと、固定ローラとをディスクと直径方向に係合・係合解除させる手段を、ディスク出入口側に設けた、
　ディスク装置におけるディスクを移送する手段。」（以下「引例１発明」という。）
　　　
  （３−２）対比・判断
（i）引例１発明における「ディスクを挿脱するディスク出入口」「直径１２ｃｍのディスク」及び「ターンテーブル」は、本願補正発明における「開口」「１２０ｍｍの大きさのディスク」及び「ターンテーブル」に各々相当する。
　本願補正発明における「ターンテーブルに装着する為に所定の位置に位置決めする位置決め機構」に関し、「所定の位置」とは「ターンテーブルに装着する為に」「位置決めする」位置であるから、引例１発明において「ターンテーブルからな」るところの「ディスク装着部」は、本願補正発明における「所定の位置」に相当する。
　引例１発明は、「ディスクをディスク装着部」「に移送する」のであり、「ディスク装着部は、筐体内に設けられる」のであるから、「ディスクが装置内部に備えた引き込み装置によって搬入され」る点、及び、ディスクを「所定の位置に位置決めする位置決め機構」である点で、本願補正発明と共通することは明らかである。
　よって引例１発明における
「ディスクをディスク装着部と、このディスクを挿脱するディスク出入口との間に移送するようにしたディスク装置におけるディスクを移送する手段であって、
　上記ディスクは直径１２ｃｍのディスクであり、
  上記ディスク装着部は、筐体内に設けられると共にターンテーブルからなり、」
は、本願補正発明における
「開口から挿入された１２０ｍｍの大きさのディスクが装置内部に備えた引き込み装置によって搬入され、ターンテーブルに装着する為に所定の位置に位置決めする位置決め機構において、」
に相当する。
（ii）引例１発明における「支持軸」「支持レバー」及び「先端部に設けられたディスク保持部」は、本願補正発明における「軸」「レバー」及び「先端」に、各々相当する。
　よって引例１発明における
「上記支持レバーは、装置の後方に有し、支持軸によって回動自在に支持され、先端部に設けられたディスク保持部」「を有し、
　上記ディスク保持部は、ディスクの外周縁が摺動可能に接触され、」
は、本願補正発明における
「装置の後方には軸を中心に回動するレバーを有すと共に該レバーにはディスク外周が当る先端を設け、」
に相当する。
（iii）引例１発明における「カムピン」は、「レバー」「に」「設け」られる点で本願補正発明における「ボス」と共通し、引例１発明における「第１のカム部」「カムプレート」は、本願補正発明における「カム溝」及び「スライダー」に各々相当する。
　よって引例１発明における
「上記支持レバーは、」「カムピンを有し、」
「カムプレートのレバー用カム部は第１のカム部を有し、
　上記カムピンは、上記カムプレートの後退移動によって上記第１のカム部内に入り込むものであり、」
は、本願補正発明と、
「該レバー」「にはボスを設け、該ボスが係合するカム溝を形成したスライダーを移動可能に備え、」
の点で共通する。
（iv）引例１発明における「駆動モータ」「出力ギア」及び「ラック部」は、本願補正発明における「モーター」「ピニオン」及び「ラック部」に相当する。
　よって引例１発明における
「上記カムプレートには、駆動モータによって回転する出力ギアと噛合するラック部が設けられ、」
は、本願補正発明と、
「該スライダーには」「モーターによって回転するピニオンと噛み合うラックを設け、」
の点で共通する。
（v）引例１発明における「駆動ローラー」「固定ローラー」及び「ディスクと直径方向に係合・係合解除させる手段」は、本願補正発明における「第２駆動ローラー」「第２ローラー」及び「ディスク外周に係合・離脱させる手段」に相当する。
　よって引例１発明における
「ディスクを移送する手段の駆動ローラと、固定ローラをディスクと直径方向に係合・係合解除させる手段を、ディスク出入口側に設けた」
は、本願補正発明における
「開口側には引き込み装置の第２駆動ローラーと、第２ローラーをディスク外周に係合・離脱させる手段を設けた」
に相当する。
　　　
　そうすると、本願補正発明と引例１発明とは次の点で一致する。
＜一致点＞
「開口から挿入された１２０ｍｍの大きさのディスクが装置内部に備えた引き込み装置によって搬入され、ターンテーブルに装着する為に所定の位置に位置決めする位置決め機構において、装置の後方には軸を中心に回動するレバーを有すと共に該レバーにはディスク外周が当る先端を設け、又、該レバーにはボスを設け、該ボスが係合するカム溝を形成したスライダーを移動可能に備え、該スライダーにはモーターによって回転するピニオンと噛み合うラックを設け、又開口側には引き込み装置の第２駆動ローラーと、第２ローラーをディスク外周に係合・離脱させる手段を設けたディスク装置のディスク位置決め機構。」である点。
　
　そして、次の各点で相違する。
＜相違点１＞本願補正発明ではボスは「レバー
の他端
＜相違点２＞ディスクが所定の位置に位置決めされたことを検出した際スライダーに設けたラックにモーターの駆動力を与えるための具体的構成として、本願補正発明では、ラックを「
該ディスクの外周が該レバー先端を押圧することで回動して該ボスが該カム溝の端部に達して係合するとともに該スライダーを移動させることで
　
　上記各相違点について検討する。
　
　上記＜相違点１＞について、
　回転軸を中心に回動するレバーに複数の腕及び当該腕の端部が存在するのは普通の形状にすぎず（例えば、特開２００１−３３８４５７号公報（以下「周知例１」という。）において、支持軸５２により回動自在に支持された種別検知部材５１、及び支持軸７７により回動自在に支持された第３の伝達部材７６は、いずれも「レバー」と言える部材であるが、いずれも複数の腕を持ち、その端部の一つ又は二つに「ボス」に相当するピン又は突起が形成されている（【００４９】【００５０】【００６６】他）。）、動作上、都合のよい位置にボスを設けるためにレバーに腕を設けることは単なる設計事項にすぎないから、引例１発明においても、「ボス」に相当する「カムピン４８」を、単に「周方向腕部に固定」することに代えて、当該腕部から突出する、或いは軸から見て当該腕部とは別の、他の腕部を形成するとともに当該他の腕部の端に設けること、すなわち引例１発明において「レバー
の他端
　　　
　上記＜相違点２＞について、
  前記周知例１には、ディスクの中心がターンテーブル７の中心にほぼ一致し、ディスクがアーム状の検知部材６１の先端に形成されている検知突起６１ａを押すと、前記検知部材６１、始動部材６２、始動伝達手段７０等から構成される手段が回動して、前記始動伝達手段７０を形成する第３の伝達部材７６の先端、すなわち前記手段の他端に形成されている始動押圧部７６ａがラック９４を押圧し、するとモータ８１によって回転する第２の駆動歯車８５が前記ラック９４と噛み合って前記ラック９４が移動するようにしたディスク装置が記載されている。（【００９６】【０１０２】ないし【０１０４】他）
　また、特開平１１−２１３５０３号公報（以下「周知例２」という。）には、ディスクの中心がターンテーブルＴａとクランパ２７との間に狭持される位置まで搬送され、ディスクの縁部が回動アーム１５のトリガピン１５ａを押して前記アーム１５を回動させると、前記回動アーム１５の他端側に設けられ、且つ、スイッチアーム１６、スライダ１７、ラックアーム１８からなる部材における長孔１６ａに遊挿された凸部１５ｃが、前記長孔１６ａをＹ１方向に移動させ、すると前記部材のラック部１８ｅが大ギア２３ａに噛み合い、その結果前記部材を構成するスイッチアーム１６、スライダ１７及びラックアーム１８がＹ１方向に移動するようにしたディスク装置が記載されている。（【００６０】ないし【００６２】【００６４】【００６７】他。）
　上記周知例１における「検知部材６１、始動部材６２、始動伝達手段７０等から構成される手段」および周知例２における「アーム１５」が、各々本願補正発明における「レバー」に相当する手段であることは明らかであるから、所定の部材に、ディスクの外周がレバー先端を押圧することで回動して該レバーの所定の部位が上記所定の部材を移動させることでモーターによって回転するピニオンと噛み合うラックを設ける技術は、周知技術にすぎないことが明らかである（特に周知例２には、当該所定の部材が単一の部材（ラック９４）で形成される技術が記載されている。）。
　前記周知技術は、ディスクが所定の位置に位置決めされた場合にモーターの駆動力を所定の部材に与える点において引例１発明と共通するものであるから、モーターの駆動力をスライダーに与えるところの引例１発明に当該周知技術を適用することにより引例１発明において「該スライダーには
該ディスクの外周が該レバー先端を押圧することで回動して
該スライダーを移動させることで
　そして、引例１発明では、ディスクの外周が支持レバー先端を押圧することで回動させた場合、該レバー上のカムピンは、当該回動によって移動した位置でカムプレートの第１のカム部に入り込むものであるところ、カムピンが当該位置まで移動したことは、ディスクが所定の位置に位置決めされたことを示すものである（上記（３−１）（る）参照）。他方、周知例１ないし２記載の周知技術において、レバーの所定の部位が所定の部材を移動させることでモーターによって回転するピニオンと噛み合うこと、すなわち該所定の部位がラックとピニオンを噛み合わせる位置まで移動したこともまた、ディスクが所定の位置に位置決めされたことを示すものであるから、引例１発明において上記周知技術を適用して上述した「該ディスクの外周が該レバー先端を押圧することで回動して」「該スライダーを移動させる」との構成を実現する際、その具体的手段として、上記部位としてカムプレートの第１のカム部に入り込む上記カムピンを用い、該カムピンにカムプレートを移動させることにより引例１発明において
「該スライダーには該ディスクの外周が該レバー先端を押圧することで回動して
該ボスが該カム溝の端部に達して係合するとともに
とすることは、当業者が適宜なし得たものである。
　　　
　そして、上記各相違点の判断を総合しても、本願補正発明の奏する効果は引例１に記載された発明及び周知技術から当業者が十分予測可能なものであって格別なものとは言えない。
　　
　したがって本願補正発明は、引例１に記載された発明及び周知技術に基づいて当業者が容易に発明をすることができたものであるから、特許法２９条２項の規定により特許出願の際独立して特許を受けることができないものである。
　
（３−３）本件補正についてのむすび
　以上のとおり、本件補正は、平成１８年改正前特許法１７条の２第５項で準用する同法１２６条５項の規定に違反するものであり、特許法１５９条１項で読み替えて準用する同法５３条１項の規定により却下されるべきものである。　
　　
　　
第３　本願発明について
　
　平成１８年３月１３日付けの手続補正は上記のとおり却下されたので、本願の請求項１及び２に係る発明は、平成１７年１０月３１日付け手続補正により補正された明細書の、特許請求の範囲の請求項１及び２に記載されたとおりのものと認められるところ、そのうち請求項１に係る発明（以下「本願発明」という。）は、上記「第２［理由］（１ａ）」において本件補正前の特許請求の範囲の【請求項１】として記載したとおりのものである。
　
（１）刊行物
　原審における拒絶の理由に引用された刊行物である引例１、及びその記載事項は、上記「第２［理由］（３−１）」に記載したとおりである。　
　
（２）対比・判断
　本願発明は、本願補正発明における「
１２０ｍｍの大きさの
該
の他端
はボスを設け、該
該ディスクの外周が該レバー先端を押圧することで回動して該ボスが該カム溝の端部に達して係合するとともに該スライダーを移動させることで
と
、
　そうすると、本願発明の構成要件を全て含み、更に他の要件を付加したものに相当する本願補正発明が前記「第２［理由］（３−２）」に記載したとおり、引例１に記載された発明及び周知技術に基づいて当業者が容易に発明をすることができたものであるから、本願発明も、同様の理由により、引例１に記載された発明及び周知技術に基づいて当業者が容易に発明をすることができたものである。 
　　
（３）むすび
　
　以上のとおり、本願の請求項１に係る発明は、引例１に記載された発明及び周知技術に基づいて当業者が容易に発明をすることができたものであるから、特許法第２９条２項の規定により特許を受けることができない。
　したがって本願は、その余の請求項について論及するまでもなく拒絶すべきものである。
　　
　よって、結論のとおり審決する。